(57)【要約】      （修正有）【課題】建築壁面の窓などの開口部に着脱自在に取付可能なロール式スクリーン装置を提供する。【解決手段】金属角パイプの額縁枠３の上部に巻き上げ、下げ機構２を備えたロールスクリーンの前記金属角パイプの左右両側の内側に施された切溝３Ａ内にスクリーンシートを差し込んだ。また、左右両側の金属角パイプの切溝３Ａを通り、ロールスクリーンの下部に取り付けられた把手４とその把手４に重合して取り付けられた磁石板５との加重と磁力効果により、ロールスクリーン面を張りのあるものにできる。さらに、金属角パイプの額縁枠３の背面に取り付けられた磁石板７の磁力により、開口部窓への取り付けを容易にした。【選択図】図１
0003221324.tif 000002
【実用新案登録請求の範囲】
【請求項１】
金属角パイプの額縁枠の上部に巻き上げ下げ機構の備えたロールスクリーンを内部に収め、両側左右の金属角パイプの切り溝にスクリーンシートを組み込んで、均一で薄厚な額縁の中に嵌め込まれたロール式スクリーン装置
【請求項２】
額縁枠に組み込まれたロールスクリーンは左右両側の角パイプの切り溝を通り、重りである磁石付きの金属帯板に引かれて額縁下部に磁石力で接着することで、より張りのあるスクリーン面を作ることができるロール式スクリーン装置
【請求項３】
額縁に組み込まれたロール式スクリーン装置はスクリーンシートの選択で虫除け用網戸シートや障子的効果の合成和紙シートや風景や絵画や写真などの映像を印刷したシートなど多種の機能を持ち得るロール式スクリーン装置
【請求項４】
額縁に組み込まれたロール式スクリーン式装置は安定した剛性のある構造の装置体でありのある額縁の背面に付けられた磁石板により開口部窓などへの取り付けが容易にできるロールスクリーン装置
【請求項５】
額縁の背面に付けた磁石板をもつ額縁に組み込まれたロール式スクリーン装置は開口部窓に取付けが簡単であると同時にいくつもの多機能（鑑賞用、意匠用、遮光用、調光用、網戸用など）のロール式スクリーン装置を重ね取り付けられるロールスクリーン装置
【考案の詳細な説明】
【技術分野】
【０００１】本考案は、建築壁面の開口部（窓など）になど着脱自在に取付可能なロール式スクリーン装置に関するものである。
【背景技術】
【０００２】従来のロールスクリーンは安定した確実な構造体を持たず、柔軟すぎる装置で気密性、保温性、防音性に欠けていた。また、他の機能を持つロールスクリーンを重ねて取り付けることができない。
【先行技術文献】
【０００３】
【特許文献】
【特許文献】特開２０１１−３８３４０
【考案の概略】
【考案が解決しようとする課題】
【０００４】従来のロールスクリーンは、スクリーンが垂れ下がる方式で、確実で安定した構造体ではなく、外部からの衝撃にも弱く、華奢なので硬く確実なロールスクリーン装置で気密性、保温性、防音性での向上を計り、種々機能をもつロールスクリーン（意匠用、遮光用、調光用、網戸用など）を重ねて取り付けられること。
【課題を解決するための手段】
【０００５】ロール式スクリーン装置は従来のバネによるロールスクリーンの装置を使用し、それを切り溝のある金属角パイプに内蔵させ、垂直両側も金属角パイプの切り溝にスクリーンの両端を通し、スクリーンを引き下げる磁石付きの金属帯板が金属枠内を通るロールスクリーンを額縁に嵌め込んだ仕組みで、金属角パイプ裏側に磁石をつけ開口部窓への取り付けや諸々の多機能を持つロールスクリーン装置を重ねて設置することを可能にする。
【考案の効果】
【０００６】金属角パイプによる額縁枠にロールスクリーンを嵌め込んだロール式スクリーン装置はしっかりとした剛性のある装置体になり、開口部（窓）に磁石によって容易かつ簡単に設置でき取り外し、交換も容易である。
【０００７】金属角パイプによる額縁枠にロールスクリーンを嵌め込まれたロール式スクリーン装置はしっかりとした剛性のある装置体になり、開口部（窓）に磁石によって設置にされることで、開口部での気密性、保温性、防音性、などの機能を向上させる。
【０００８】均一で平坦な額縁枠にロールスクリーンを嵌め込まれたロール式スクリーン装置は額縁背面の磁石板で諸々な他機能のロール式スクリーン装置（観賞用、遮光用、調光用、網戸用など）を組み合わせて重ねて設置できる。
【０００９】垂直両側の金属角パイプの切り溝にスクリーンの両端を通し、スクリーンの下部にある磁石付きの金属帯板が金属角パイプの内側に沿って昇降することで従来のロールスクリーンにありがちな横ズレを防ぐことができる。
【００１０】垂直両側も金属角パイプの切り溝にスクリーンの両端を通し、スクリーンの下部にある磁石付きの金属帯板が金属角パイプの内側に沿って昇降し、額縁下部に磁石接地することで、張りのあるスクリーン面を可能にする。
【図面の簡単な説明】
【００１１】
【図１】従来のロールスクリーン巻き上下装置が金属角パイプの上部額縁枠に嵌められスクリーン布も両側金属パイプに組み込まれたロール式スクリーン装置の正面図、側面図、側面図、平面図、断面図
【図２】ロールスクリーンの装置やスクリーン布や金属帯板などの部品の組立と完成の斜視図  また接合部品をねじ止めする斜視図
【図３】ロール式スクリーン装置の正面と磁石板を示した背面示した斜視図
【図４】種々の多機能（意匠鑑賞用、遮光用、調光用、網戸用など）のロール式スクリーン装置を組み合わせで２重３重に設置した状況の斜視図
【図５】種々な多機能（意匠鑑賞用、遮光用、調光用、網戸用など）のロール式スクリーン装置を３重に設置した正面図、側面図、側面図、平面図、断面図
【考案を実施するための形態】
【００１２】以下本考案を具体的にした実施形態を［図］に従って説明する。
（図１）ロールスクリーンの巻き上下装置（２）を金属角パイプ上部（３）に差し込み、スクリーン布（１Ａ）を両側左右の金属角パイプ（３）の切り溝（３Ａ）を通りスクリーン下部についた磁石板（５）を内蔵をした重りの金属帯板（４）の長さが丁度、額縁内に収まることでロールスクリーンの巻き上げの際に起こる横ズレを防ぐことができる。
接合部品（６）が４つの金属角パイプを額縁枠に構成する
【００１３】（図２）この分解図は上記の説明と同様で４本の金属角パイプ（３）が４隅の接合部品（６）で組み立てられスクリーン布（１Ａ）がパイプの切り溝に嵌められ重りの金属帯板（４）がスクリーンの昇降をガイドする。
【００１４】（図３）均一で平坦な金属角パイプの額縁枠のロール式スクリーン式装置の斜視図で背面図に見られるように額縁背面に磁石板（７）をつけることで開口部、窓に簡単に取り付けができる
【００１５】（図４）この斜視図は３種の機能をもつロール式スクリーン式装置で観賞用、遮光用、調光用（障子的）、虫除け網戸などの機能の装置を磁石力で重ね設置できることを示す。
【００１６】（図５）この図面は上記［図４］で説明したものの正面、平面、側面、断面図である。
ロール式スクリーンの額縁枠を開口部をに装着した状態を示す。
【符号の説明】
【００１７】１Ａ  遮光スクリーン
１Ｂ  調光（障子）スクリーン
１Ｃ  網戸スクリーン
２    ロールスクリーン巻き上下装置
３    金属角パイプの額縁枠
３Ａ  金属角パイプの切り溝
４    把手となる金属帯板
５    金属帯板の中の磁石板
６    接合部品
７    額縁背面の磁石板
８    開口部  窓
【図１】
0003221324.tif 000003
【図２】
0003221324.tif 000004
【図３】
0003221324.tif 000005
【図４】
0003221324.tif 000006
【図５】
0003221324.tif 000007
【手続補正書】
【提出日】平成30年12月19日(2018.12.19)
【手続補正１】
【補正対象書類名】実用新案登録請求の範囲
【補正対象項目名】全文
【補正方法】変更
【補正の内容】
【実用新案登録請求の範囲】
【請求項１】
金属角パイプの額縁枠の上部に巻き上げ、下げ機構を備えたロールスクリーンの前記金属角パイプの左右両側の金属角パイプの内側に施された切溝内にスクリーンシートを差し込んだことを特徴とするロール式スクリーン装置。
【請求項２】
前記金属パイプの額縁枠に組み込まれたロールスクリーンにおいて、左右両側の金属角パイプの切溝を通り、ロールスクリーン下部に取り付けられた把手とその把手に重合して取り付けられた磁石板との加重と磁力効果によりロールスクリーン面を張りのあるものにできることを特徴とする請求項１のロール式スクリーン装置。
【請求項３】
前記ロールスクリーン装置において、ロールスクリーンを虫除け用網シート、遮光用合成和紙シート、風景や絵画の映像を印刷した鑑賞用樹脂シートを設け用途に合わせたシートを選択使用できることを特徴とする請求項１のロール式スクリーン装置。
【請求項４】
前記ロールスクリーン装置の金属角パイプの額縁枠背面に取り付けられた磁石板の磁力により開口部窓への取り付けを容易にしたことを特徴とする前記請求項１のロールスクリーン装置。
【請求項５】
請求項３に記載のロールスクリーン装置における、虫除け用網シート、遮光用合成和紙シート、風景や絵画を印刷した鑑賞用樹脂シートの各々を前記ロールスクリーン装置にそれぞれ設け、好みにより選択した前記それぞれの装置の金属角パイプの額縁枠背面の磁石板の磁力により請求項５で説明の前記開口部窓に縦に重ねて設置することを特徴とするロールスクリーン装置。
【手続補正書】
【提出日】平成31年2月28日(2019.2.28)
【手続補正１】
【補正対象書類名】実用新案登録請求の範囲
【補正対象項目名】全文
【補正方法】変更
【補正の内容】
【実用新案登録請求の範囲】
【請求項１】
金属角パイプの額縁枠の上部に巻き上げ、下げ機構を備えたロールスクリーンの前記金属角パイプの左右両側の金属角パイプの内側に施された切溝内にスクリーンシートを差し込んだことを特徴とするロール式スクリーン装置。
【請求項２】
前記金属角パイプの額縁枠に組み込まれたロールスクリーンにおいて、
左右両側の金属角パイプの切溝を通り、ロールスクリーンの下部に取り付けられた把手とその把手に重合して取り付けられた磁石板との加重と磁力効果により、ロールスクリーン面を張りのあるものにできることを特徴とする請求項１に記載のロール式スクリーン装置。
【請求項３】
前記ロール式スクリーン装置において、
ロールスクリーンを虫除け用網シート、遮光用合成和紙シート、風景や絵画の映像を印刷した鑑賞用樹脂シートを設け、用途に合わせたシートを選択使用できることを特徴とする請求項１に記載のロール式スクリーン装置。
【請求項４】
前記ロール式スクリーン装置の前記金属角パイプの額縁枠の背面に取り付けられた磁石板の磁力により、開口部窓への取り付けを容易にしたことを特徴とする請求項１に記載のロール式スクリーン装置。
【請求項５】
前記金属角パイプの額縁枠の背面における磁石板の磁力により、前記虫除け用網シート、前記遮光用合成和紙シート、前記鑑賞用樹脂シートの各々を設けた前記ロール式スクリーン装置から２個以上選択した前記ロール式スクリーン装置を開口部窓に縦に重ねて設置したことを特徴とする請求項３に記載のロール式スクリーン装置。